(57)【要約】【課題】キャビネット間の配線を保護することができ、配線が複雑になっても美感を損なうことがなく、内部温度の上昇を抑制することができるキャビネット集合体を提供する。【解決手段】壁またはポール１に設置され、相互間が配線３により接続された複数のキャビネット２の全体を、強度のあるケージ部材４によりカバーする。ケージ部材４が、キャビネット２の背面側の取付板部材５と、表面側の保護部材６と、これらの間の鎖錠部材７とからなることが好ましい。保護部材６に全面に及ぶスリット１２を設け、放熱性を高める。キャビネット２の全体がケージ部材４により覆われるので、配線３が保護される。またケージ部材４は遮光効果も発揮する。【選択図】図１
2011091263.tif 000002
【特許請求の範囲】
【請求項１】
壁またはポールに設置され、相互間が配線により接続された複数のキャビネットの全体を、ケージ部材により被ったことを特徴とするキャビネット集合体。
【請求項２】
ケージ部材が、キャビネットの背面側の取付板部材と、キャビネットの表面側を被う保護部材と、これらの間に設けられた鎖錠部材とからなることを特徴とする請求項１記載のキャビネット集合体。
【請求項３】
ケージ部材が、キャビネットとの間に空間を設けて配置されるものであることを特徴とする請求項１記載のキャビネット集合体。
【請求項４】
ケージ部材が、壁またはポールへの固定手段を備えたものであることを特徴とする請求項１記載のキャビネット集合体。
【請求項５】
保護部材が、全面に及ぶスリットを備えたものであることを特徴とする請求項２記載のキャビネット集合体。
【発明の詳細な説明】
【技術分野】
【０００１】
本発明は、壁またはポールに設置されたキャビネット集合体に関するものである。
【背景技術】
【０００２】
電柱や照明柱等のポールには、通信機器類を収納するためのキャビネット（例えば特許文献１）が取り付けられることがある。必要な機能のすべてを単一のキャビネットに収納できる場合には特に問題はないが、例えば通信機能、制御管理機能、電源機能、避雷機能などの各機能に対応する機器はそれぞれメーカーが異なることが多いため、複数のキャビネットに分離して収納され、キャビネット相互間を配線により接続することが多い。このように相互間が配線により接続された複数のキャビネットを、本明細書ではキャビネット集合体と呼ぶ。
【０００３】
上記のようなキャビネット集合体は、配線が外部に露出しているため悪戯で配線を切断されるおそれがある。またキャビネットの個数が増加すると配線が輻輳し、外観を損ねることがある。これらの問題を解決するために、キャビネット集合体は比較的高所に設置されるのが普通である。しかし、高所設置は取り付け作業やメンテナンス作業の作業性を低下させることとなる。
【０００４】
また、屋外設置されることが多いために日射によるキャビネット内部温度の上昇が生じ易い。このためには遮光板を設置することが望まれるが、多数の小型のキャビネットにそれぞれ遮光板を設置することはコスト高となるうえ、大型のキャビネットに比較して比表面積が大きくなるので、断熱効果も薄いという問題がある。
【先行技術文献】
【特許文献】
【０００５】
【特許文献１】特開２００８−１４７２１０号公報
【発明の開示】
【発明が解決しようとする課題】
【０００６】
本発明の目的は上記した従来の問題点を解決し、キャビネット集合体におけるキャビネット間の配線を保護することができ、配線が複雑になっても美感を損なうことがなく、内部温度の上昇を抑制することができる技術を提供することである。
【課題を解決するための手段】
【０００７】
上記の課題を解決するためになされた本発明のキャビネット集合体は、壁またはポールに設置され、相互間が配線により接続された複数のキャビネットの全体を、ケージ部材により被ったことを特徴とするものである。
【０００８】
なおケージ部材が、キャビネットの背面側の取付板部材と、キャビネットの表面側を被う保護部材と、これらの間に設けられた鎖錠部材とからなることが好ましい。またケージ部材が、キャビネットとの間に空間を設けて配置されるものであることが好ましい。またケージ部材が、壁またはポールへの固定手段を備えたものであることが好ましい。さらに保護部材が、全面に及ぶスリットを備えたものであることが好ましい。
【発明の効果】
【０００９】
本発明のキャビネット集合体は、複数のキャビネットの全体をケージ部材により被ったことにより、キャビネット相互間の配線をケージ部材により保護することができるとともに、配線が外部に露出することがなくなるため、美感が損なわれることが無い。このため従来のような高所に設置する必要もなくなり、取り付け作業やメンテナンス作業の作業性を高めることができる。またケージ部材は遮光機能も有するので、日射によるキャビネットの内部温度の上昇を抑制することができる。特にケージ部材にスリットを設けておけば放熱性も向上し、内部に熱がこもることもない。
【図面の簡単な説明】
【００１０】
【図１】本発明の第１の実施形態を示す斜視図である。
【図２】本発明の第１の実施形態を示す斜視図である。
【図３】本発明の第１の実施形態の変形例を示す斜視図である。
【図４】本発明の第２の実施形態を示す正面図である。
【図５】本発明の第２の実施形態を示す断面図である。
【図６】本発明の第２の実施形態における保護部材の斜視図である。
【図７】本発明の第２の実施形態の変形例を示す斜視図である。
【発明を実施するための形態】
【００１１】
以下に本発明の実施形態を説明する。
第１の実施形態はポールに設置されたキャビネット集合体であり、図１において、１は電柱などのポール、２はこのポール１の側面に垂直配置された複数のキャビネットである。各キャビネット２はそれぞれ異なる機能を備えた電気電子機器を内蔵するものであり、例えば第１のキャビネット２に避雷器、第２のキャビネット２に通信機器、第３のキャビネットに電源装置を収納している。各キャビネット２、２間は配線３によって相互に接続されている。各キャビネット２は屋外設置用の防水機能を備えるキャビネットであり、それ自体は周知のものである。
【００１２】
本発明においては、これらの複数のキャビネット２の全体を強度の大きい樹脂製または金属製のケージ部材４により被っている。本実施形態では、ケージ部材４はキャビネット２の背面側の取付板部材５と、キャビネット２の表面側を被う保護部材６と、これらの間に設けられた鎖錠部材７とからなる。取付板部材５はその背面を周知の電柱バンド８などの固定手段によって、ポール１に固定されている。この実施形態では、取付板部材５には放熱を促進するために、連続する大型スリット９が形成されており、キャビネット２は大型スリット９の間に形成された取付部に図示しないボルトによって固定されている。
【００１３】
保護部材６は水平断面がコの字状であり、その片側がヒンジによって取付板部材５に固定され、図１のように開閉可能となっている。また保護部材６と取付板部材５の反対側にはそれぞれ鎖錠部材７を設け、部外者が自由に開けないようにしておく。鎖錠部材７としては例えば南京錠挿通用孔１１を備えた鎖錠片を溶接して置けばよい。なお取付板部材５に対する保護部材６の取付手段は必ずしもヒンジに限定されるものではなく、嵌め込み固定式としてもよい。保護部材６は閉じたときにキャビネット２との間に空間が形成される深さとしておく。
【００１４】
保護部材６には、全面に及ぶスリット１２が形成されている。このスリット１２は内部からの放熱性と遮光性とを両立させることができるように、サイズを決定することが好ましい。
【００１５】
図１に示すようにケージ部材４は上下を開放しておくこともできるが、図２に示すように取付板部材５の上下に固定保護板１３を設けることが好ましい。固定保護板１３はネジによる着脱式としてもよい。このような構造とすることにより、地中などから電線管により配線をキャビネット２に引き込むことが可能となり、配線の安全性を高めることができる。
【００１６】
この実施形態ではキャビネット２を取付板部材５に固定したが、キャビネット２の重量が重い場合には、図３に示すように電柱バンド８によってキャビネット２を直接ポール１に固定することもできる。この場合には取付板部材５は不要となり、保護部材６をポール１に設置した固定部材１４に、着脱できるように直接固定すればよい。なおこの場合には、図３に示すようにキャビネット２の背面に補強板１０を配置することが好ましい。
【００１７】
なお、キャビネット２は増設される場合があり、取付板部材５に設置しきれないことがある。その場合には上下方向にケージ部材４を連結することが好ましい。またその場合において上下のケージ部材４，４の保護部材６，６がともにヒンジ式であれば、上下の保護部材６，６を連結して一緒に開閉できるようにしておくことが好ましい。
【００１８】
このように構成された本発明のキャビネット集合体は、ケージ部材４によりキャビネット２及び配線３を保護することができる。このため悪戯による配線３の切断を防止することができるとともに、配線がケージ部材４により隠れるので、美感が損なわれない。このため高所に設置する必要もなくなり、取り付け作業やメンテナンス作業の作業性を高めることができる。またケージ部材４の遮光機能により日射によるキャビネットの内部温度の上昇を抑制することができるとともに、内部に熱がこもることも大型スリット９やスリット１２によって防止することができる。
【００１９】
図４以下に示す第２の実施形態は、壁面１５に設置されたキャビネット集合体である。この実施形態のキャビネット２は図４に示すように水平方向に並べて設置されたものであり、図５に示すように壁面１５に直接固定されている。また壁面１５には固定金具１６が設置されており、図６に示すような垂直断面がコの字状の保護部材６を取付ける。保護部材６にはスリット１２が全面にわたり形成されている。この場合には、ケージ部材４は保護部材６のみからなる。
【００２０】
保護部材６の上端部の少なくとも２箇所に係止爪部１７を形成して固定金具１６に引っ掛け、保護部材６を上方に跳ね上げるように開くことができるようにしておくことが好ましい。また第１の実施形態と同様に、保護部材６の下端部に南京錠挿通用孔を備えた鎖錠部材１１を形成しておくことが好ましい
【００２１】
このほか、図７に示すように壁面に取付板部材５に固定し、その表面に保護部材６を被せることも可能である。
【００２２】
これらの第２の実施形態のキャビネット集合体は主として建物等の外壁面ものであるが、第１の実施形態と同様に、配線３の保護効果、配線３の隠蔽効果、スリット１２による放熱効果などを奏するものである。
【符号の説明】
【００２３】
１  ポール
２  キャビネット
３  配線
４  ケージ部材
５  取付板部材
６  保護部材
７  鎖錠部材
８  電柱バンド
９  大型スリット
１１  南京錠挿通用孔
１２  スリット
１３  固定保護板
１４  固定部材
１５  壁面
１６  固定金具
【図１】
2011091263.tif 000003
【図２】
2011091263.tif 000004
【図３】
2011091263.tif 000005
【図４】
2011091263.tif 000006
【図５】
2011091263.tif 000007
【図６】
2011091263.tif 000008
【図７】
2011091263.tif 000009